(57)【要約】  上記目的を達成するため、本技術の一形態に係る画像表示装置は、光源部と、１以上の光学部品とを具備する。前記１以上の光学部品は、前記光源部から出射された光を複数の光束に分割して集光する光学面と、前記光学面により収束された前記複数の光束を反射する反射面とを有し、前記反射面により反射された前記複数の光束を前記光学面から出射する。
2019181404.tif 000002
【特許請求の範囲】
【請求項１】
光源部と、
前記光源部から出射された光を複数の光束に分割して集光する光学面と、前記光学面により収束された前記複数の光束を反射する反射面とを有し、前記反射面により反射された前記複数の光束を前記光学面から出射する１以上の光学部品と、
を具備する画像表示装置。
【請求項２】
請求項１に記載の画像表示装置であって、
前記光学面は、２次元状に配置された複数のレンズの各々のレンズ面により構成され、
前記反射面は、前記複数のレンズの各々により収束された光束を、前記複数のレンズの各々のレンズ面に向かって反射する
画像表示装置。
【請求項３】
請求項２に記載の画像表示装置であって、
前記反射面は、前記複数のレンズの各々の焦点面を前記複数のレンズの各々の面近傍に位置させるように配置される
画像表示装置。
【請求項４】
請求項１に記載の画像表示装置であって、
前記光学面及び前記反射面は、互いに対向するように配置される
画像表示装置。
【請求項５】
請求項１に記載の画像表示装置であって、
前記光学面及び前記反射面は、一体的に形成される
画像表示装置。
【請求項６】
請求項１に記載の画像表示装置であって、さらに、
前記出射部から出射された光をコリメート光に変換して前記光学面に導くコリメート光学系を具備する
画像表示装置。
【請求項７】
請求項１に記載の画像表示装置であって、さらに、
画像表示素子と、
前記光学部品から出射された前記複数の光束を前記画像表示素子の画像表示面に導く照明光学系と
を具備する画像表示装置。
【請求項８】
請求項７に記載の画像表示装置であって、
前記照明光学系は、前記光学部品から出射された前記複数の光束を前記画像表示面上で重畳させる
画像表示装置。
【請求項９】
請求項１に記載の画像表示装置であって、
前記反射面は、前記複数の光束の各々を反射する複数の反射領域を有する
画像表示装置。
【請求項１０】
請求項９に記載の画像表示装置であって、
前記複数の反射領域は、互いに等しい形状を有する
画像表示装置。
【請求項１１】
請求項９に記載の画像表示装置であって、
前記複数の反射領域の各々は、平面形状を有する
画像表示装置。
【請求項１２】
請求項９に記載の画像表示装置であって、
前記光源部は、互いに異なる位置に配置された複数の光源を有し、
前記複数の反射領域の各々は、前記複数の光源の位置関係に対応した形状を有する
画像表示装置。
【請求項１３】
請求項１２に記載の画像表示装置であって、
前記複数の反射領域の各々は、前記反射領域の中央に形成された平面形状からなる平面部と、前記反射領域の中央から周縁に向かって斜めに延在するテーパ面部とを有する
画像表示装置。
【請求項１４】
請求項１に記載の画像表示装置であって、
前記光源部は、互いに異なる位置に配置された複数の光源を有し、
前記光学部品は、前記複数の光源の位置に対応して互いに異なる角度となるように配置され、各々が前記複数の光源のうち対応する光源から出射され前記光学面により収束された前記複数の光束を反射する複数の反射面を有する
画像表示装置。
【請求項１５】
請求項１に記載の画像表示装置であって、
前記１以上の光学部品は、第１及び第２の光学部品を含み、
前記画像表示装置は、さらに、前記光源部から出射された光を分割して前記第１及び前記第２の光学部品の各々に出射し、前記第１及び前記第２の光学部品の各々から出射された前記複数の光束を合成するビームスプリッタを具備する
画像表示装置。
【発明の詳細な説明】
【技術分野】
【０００１】
本技術は、画像表示装置に関する。
【背景技術】
【０００２】
特許文献１には、被照明面を均一に照明するための照明光学系、及びこれを用いた液晶プロジェクタ等の投写型ディスプレイ装置について開示されている。特許文献１に記載の照明光学系は、凹面鏡アレイからなる反射板と、レンズアレイと、コンデンサレンズとにより構成されている。この構成により、見掛け上、インテグレータ光学系における第１のフライアイレンズを省略可能であり、光源の出射光をコリメートすることなく画像形成素子に均一に照射可能とのことである。また照明光学系がコンパクトな投写型ディスプレイ装置を実現することが可能とのことである。（特許文献１の明細書段落［００２４］［００２７］等）。
【先行技術文献】
【特許文献】
【０００３】
【特許文献１】特開２００１−７５１７３号公報
【発明の概要】
【発明が解決しようとする課題】
【０００４】
このようにプロジェクタ等の種々の画像表示装置において、装置の小型化を実現することを可能とする技術が求められている。【０００５】
以上のような事情に鑑み、本技術の目的は、装置の小型化を実現することが可能な画像表示装置を提供することにある。
【課題を解決するための手段】
【０００６】
上記目的を達成するため、本技術の一形態に係る画像表示装置は、光源部と、１以上の光学部品とを具備する。
前記１以上の光学部品は、前記光源部から出射された光を複数の光束に分割して集光する光学面と、前記光学面により収束された前記複数の光束を反射する反射面とを有し、前記反射面により反射された前記複数の光束を前記光学面から出射する。【０００７】
この画像表示装置は、光学面及び反射面を有する光学部品を具備する。光学部品の光学面により光源部からの光が複数の光束に分割されて集光され、反射面により反射される。反射面により反射された複数の光束は、光学面から出射される。これにより装置の小型化を実現することが可能となる。【０００８】
前記光学面は、２次元状に配置された複数のレンズの各々のレンズ面により構成されてもよい。この場合、前記反射面は、前記複数のレンズの各々により収束された光束を、前記複数のレンズの各々のレンズ面に向かって反射してもよい。【０００９】
前記反射面は、前記複数のレンズの各々の焦点面を前記複数のレンズの各々の面近傍に位置させるように配置されてもよい。【００１０】
前記光学面及び前記反射面は、互いに対向するように配置されてもよい。【００１１】
前記光学面及び前記反射面は、一体的に形成されてもよい。【００１２】
前記画像表示装置は、さらに、前記出射部から出射された光をコリメート光に変換して前記光学面に導くコリメート光学系を具備してもよい。【００１３】
前記画像表示装置は、さらに、画像表示素子と、照明光学系とを具備してもよい。
前記照明光学系は、前記光学部品から出射された前記複数の光束を前記画像表示素子の画像表示面に導く。【００１４】
前記照明光学系は、前記光学部品から出射された前記複数の光束を前記画像表示面上で重畳させてもよい。【００１５】
前記反射面は、前記複数の光束の各々を反射する複数の反射領域を有してもよい。【００１６】
前記複数の反射領域は、互いに等しい形状を有してもよい。【００１７】
前記複数の反射領域の各々は、平面形状を有してもよい。【００１８】
前記光源部は、互いに異なる位置に配置された複数の光源を有してもよい。この場合、前記複数の反射領域の各々は、前記複数の光源の位置関係に対応した形状を有してもよい。【００１９】
前記複数の反射領域の各々は、前記反射領域の中央に形成された平面形状からなる平面部と、前記反射領域の中央から周縁に向かって斜めに延在するテーパ面部とを有してもよい。【００２０】
前記光学部品は、前記複数の光源の位置に対応して互いに異なる角度となるように配置され、各々が前記複数の光源のうち対応する光源から出射され前記光学面により収束された前記複数の光束を反射する複数の反射面を有してもよい。【００２１】
前記１以上の光学部品は、第１及び第２の光学部品を含んでもよい。この場合、前記画像表示装置は、さらに、前記光源部から出射された光を分割して前記第１及び前記第２の光学部品の各々に出射し、前記第１及び前記第２の光学部品の各々から出射された前記複数の光束を合成するビームスプリッタを具備してもよい。
【発明の効果】
【００２２】
以上のように、本技術によれば、装置の小型化を実現することが可能となる。なお、ここに記載された効果は必ずしも限定されるものではなく、本開示中に記載されたいずれかの効果であってもよい。
【図面の簡単な説明】
【００２３】
【図１】第１の実施形態に係る画像表示装置の光学系の構成例を示す模式図である。
【図２】図１に示す反射フライアイレンズの構成例を示す模式図である。
【図３】画像が投射されるまでの光路について説明するための図である。
【図４】第２の実施形態に係る画像表示装置の光学系の構成例を示す模式図である。
【図５】図４に示す画像表示装置の変形例を示す模式図である。
【図６】第３の実施形態に係る画像表示装置の光学系の構成例を示す模式図である。
【図７】ＲＧＢの各色の光の出射方向について説明するための図である。
【図８】第４の実施形態に係る反射フライアイレンズの構成例を模式的に示す図である。
【図９】第４の実施形態に係る反射フライアイレンズの構成例を模式的に示す図である。
【図１０】反射領域の形状に関するシミュレーションを説明するための模式図である。
【図１１】反射フライアイレンズの構成の他の例を示す模式図である。
【図１２】図８に示す画像表示装置の変形例を示す模式図である。
【発明を実施するための形態】
【００２４】
以下、本技術に係る実施形態を、図面を参照しながら説明する。
【００２５】
＜第１の実施形態＞
［画像表示装置］
図１は、本技術の第１の実施形態に係る画像表示装置の光学系の構成例を模式的に示す図である。画像表示装置１００は、光源１と、凹面反射ミラー２と、コンデンサレンズ３及び４と、１／４波長板（ＱＷＰ）５と、反射フライアイレンズ６と、偏光ビームスプリッタ（ＰＢＳ）７と、画像表示素子８と、投射レンズ９とを有する。
【００２６】
図１に示すように、一方向に延びる第１の基準軸Ａ１に沿って、反射フライアイレンズ６、ＱＷＰ５、コンデンサレンズ３、凹面反射ミラー２、コンデンサレンズ４、ＰＢＳ７、及び画像表示素子８が、この順番で配置される。
【００２７】
反射フライアイレンズ６、ＱＷＰ５、コンデンサレンズ３及び４、及びＰＢＳ７は、レンズ面や反射面等の光学特性を発揮する光学面の中心を通る軸（各部材の光軸ともいえる）が、第１の基準軸Ａ１と略一致するように配置される。
【００２８】
凹面反射ミラー２は、第１の基準軸Ａ１を基準として、所定の反射特性が発揮されるように配置される。画像表示素子８は、画像表示面８ａの中心が第１の基準軸Ａ１に合わせられて配置される。第１の基準軸Ａ１は、反射フライアイレンズ６から画像表示面８ａに進む光の光軸となる。
【００２９】
投射レンズ９は、第１の基準軸Ａ１に直交し、ＰＢＳ７の光学面７ａの中心を通る第２の基準軸Ａ２上に配置される。投射レンズ９は、自身の光軸が第２の基準軸Ａ２に略一致するように配置される。第２の基準軸Ａ２は、画像表示面８ａから出射され、ＰＢＳ７の光学面７ａにより反射される画像光の光軸となる。
【００３０】
光源１は、白色光源であり、例えば、レーザ光源やＬＥＤが用いられる。もちろん、水銀ランプやキセノンランプ等の他の光源が用いられてもよい。本実施形態において、光源１は、光源部に相当する。
【００３１】
凹面反射ミラー２は、光源１から出射された白色光をコンデンサレンズ３に向かって反射する。本実施形態では、凹面反射ミラー２として、ワイヤーグリッド偏光フィルムが用いられる。従って、凹面反射ミラー２の光学面２ａに対して、所定の偏光状態の光（ここではＳ偏光とする）を反射し、他の偏光状態の光（ここではＰ偏光とする）。従って凹面反射ミラー２は、偏光素子として機能する。もちろん、ワイヤーグリッド偏光フィルム以外の偏光素子により、凹面反射ミラー２が構成されてもよい。
【００３２】
コンデンサレンズ３は、凹面反射ミラー２により反射された白色光を集光して出射する。本実施形態では、コンデンサレンズ３により、凹面反射ミラー２により反射された白色光がコリメート光（平行光）に変換される。そしてコリメートされた白色光が、第１の基準軸Ａ１に沿って、ＱＷＰ５及び反射フライアイレンズ６に向かって出射される。
【００３３】
従って本実施形態では、凹面反射ミラー２及びコンデンサレンズ３により、光源１から出射された白色光をコリメート光に変換して、反射フライアイレンズ６の光学面１２に導く、コリメート光学系が実現される。
【００３４】
光学面２ａが凹面形状となる凹面反射ミラー２を用いることで、コンデンサレンズ３の光学的な負荷を抑制することが可能となり、コンデンサレンズ３の小型化を図ることが可能となる。また白色光の光路長を短くすることも可能となる。この結果、画像表示装置１００の小型化を実現することが可能となる。
【００３５】
ＱＷＰ５は、入射する光の偏光面に９０°の位相差を与える。ＱＷＰ５の具体的な構成は限定されず、任意に設計されてよい。
【００３６】
図２は、反射フライアイレンズ６の構成例を示す模式図である。反射フライアイレンズ６は、光学面１２と、反射面１３とを有する。
【００３７】
光学面１２は、２次元状に配置された複数のレンズ１４の各々のレンズ面１４ａにより構成される。複数のレンズ１４は互いに略等しい形状を有する。従って、複数のレンズ面１４ａも互いに略等しい形状となる。
【００３８】
また複数のレンズ１４は、略同一平面上に同じ方向を向くように形成される。従って、各レンズ面１４ａの中心を通る光軸は、同じ方向にそれぞれ延在する。またレンズ面１４ａの先端の位置も同じ位置となる。従って、各レンズ１４の焦点面（焦点を含む光軸に垂直な面）は、同じ位置に構成されることになる。
【００３９】
反射面１３は、平面形状を有し、光学面１２と対向するように配置される。本実施形態では、反射面１３は、複数のレンズ１４の各々の焦点面Ｆを複数のレンズ面１４ａの各々の面近傍に位置させるように配置される。すなわち反射面１３は、各レンズ１４からレンズ１４の焦点距離のおよそ半分離れた位置に配置される。反射面１３は、複数のレンズ１４に対して１つの平面にて共通して構成され、各レンズ１４の焦点面Ｆと各レンズ面１４ａの面が大よそ一致するような位置に配置される。
【００４０】
図２に示すように、反射面１３は、複数のレンズ１４に対応して複数の反射領域１５を有する。１つのレンズ１４（レンズ面１４ａ）に対して、１つの反射領域１５が配置される。複数の反射領域１５は、互いに等しい形状を有し、本実施形態では平面形状からなる。
【００４１】
反射フライアイレンズ６の光学面１２にコリメート光Ｌ１が入射すると、複数のレンズ１４の各々により、コリメート光Ｌ１が複数の光束Ｌ２に分割されて集光される。上記したように反射面１３は、各レンズ１４からレンズ１４の焦点距離のおよそ半分離れた位置に配置されている。従って分割された複数の光束Ｌ２は、集光されながら反射面１３の反射領域１５によりレンズ面１４ａに向かって反射され、レンズ面１４ａ近傍にて集光して出射される。
【００４２】
本実施形態において、反射フライアイレンズ６は、光源部から出射された光を複数の光束に分割して集光する光学面と、光学面により収束された複数の光束を反射する反射面とを有し、反射面により反射された複数の光束を光学面から出射する光学部品として機能する。
【００４３】
本実施形態では、反射フライアイレンズ６は、１つの部品として形成される。従って、光学面１２と反射面１３とは、一体的に形成される。例えばガラスモールド成形や、透明樹脂材料を用いた射出成形等により、反射フライアイレンズ６を簡単に形成することが可能である。もちろん切削加工等の他の任意の方法が用いられてもよい。なお反射面１３に、外側から反射膜等が形成されてもよい。
【００４４】
図１に戻り、コンデンサレンズ４は、反射フライアイレンズ６から出射された複数の光束を集光する。ＰＢＳ７は、プリズム型のビームスプリッタであり、光学面７ａにより、入射光の偏光状態に基づいて入射光を分割する。本実施形態では、光学面７ａに対してＳ偏光では高い反射率を持ち、Ｐ偏光では高い透過率を有するように設計されている。
【００４５】
反射型の画像表示素子８は、ＰＢＳ７の第１の基準軸Ａ１に直交する第１の面７ｂに対向して配置される。画像表示素子８としては、例えば高解像度及び超小型のマイクロディスプレイが用いられる。例えば反射型の液晶パネル、デジタルマイクロミラーデバイス（ＤＭＤ）ＤＬＰ、有機ＥＬ（Electro-Luminescenceパネル等を採用することが可能である。もちろんマイクロディスプレイに含まれない画像表示素子や、その他の種類の画像表示素子に対しても、本技術は適用可能である。
【００４６】
本実施形態では、画像表示素子８にカラーフィルタが搭載されており、１つの画素（ピクセル）に対してＲＧＢのサブ画素（サブピクセル）が配置されている。画像表示面８ａに白色光が照射されると、ＲＧＢのサブピクセルにより、ＲＧＢの各色の画像情報を含んだ画像信号に基づいて、白色光が変調される。ＲＧＢの各変調光を含んだ画像光は、画像表示面８ａから出射される。
【００４７】
投射レンズ９は、ＰＢＳ７の第２の基準軸Ａ２に直交する第２の面７ｃに対向して配置される。投射レンズ９は、画像表示素子８により生成された画像光を、スクリーン等に投射する。投射レンズ９の具体的な構成は限定されず、任意に設計されてよい。
【００４８】
図３は、画像が投射されるまでの光路について説明するための図である。図３Ａに示すように、光源１から凹面反射ミラー２に向けて白色光Ｌ３が出射される。この際に、偏光板等により、凹面反射ミラー２の光学面２ａに対してＳ偏光となるように、白色光Ｌ３の偏光状態が揃えられてもよい。これにより光の損失（光量の低下）を抑えることが可能となり、輝度を向上させることが可能となる。
【００４９】
凹面反射ミラー２及びコンデンサレンズ３により、白色光Ｌ３がコリメート光に変換され、ＱＷＰ５に出射される。ＱＷＰ５により、白色光Ｌ３の偏光状態が変更され、反射フライアイレンズ６に出射される。
【００５０】
図２を参照して説明したように、反射フライアイレンズ６の光学面１２に含まれる複数のレンズ面１４ａにより、白色光Ｌ３（図２のＬ１に相当）が複数の光束Ｌ２に分割され集光される。集光される途中の複数の光束Ｌ２は、反射面１３の反射領域１５上で反射されレンズ面１４ａ近傍に集光される。従ってレンズ面１４ａ近傍には、光源１の像が結像される。反射面１３の反射領域１５により反射された複数の光束Ｌ２は、複数のレンズ面１４ａから出射される。
【００５１】
以下、図３Ｂでは、反射フライアイレンズ６の光学面１２から出射された複数の光束を、複数の光束Ｌ４として説明を行う。反射フライアイレンズ６から出射された複数の光束Ｌ４は、ＱＷＰ５により、偏光状態が変更される。白色光Ｌ３は、２回ＱＷＰ５を透過することになるので、光の偏光方向が９０°回転される。
【００５２】
これにより複数の光束Ｌ４の偏光状態は、凹面反射ミラー２の光学面２ａに対してＰ偏光となる。従って、反射フライアイレンズ６から出射された複数の光束Ｌ４は、コンデンサレンズ３により集光された後に、凹面反射ミラー２を透過する。
【００５３】
凹面反射ミラー２を透過した複数の光束Ｌ４は、コンデンサレンズ４により集光され、ＰＢＳ７の光学面７ａを透過して、画像表示素子８に照射される。そのために、例えば凹面反射ミラー２の光学面２ａに対してＰ偏光となる光が、ＰＢＳ７の光学面７ａに対してもＰ偏光となるように、光学系が適宜設計されている。あるいは、１／２波長板等の偏光素子により、凹面反射ミラー２を透過した複数の光束Ｌ４が、ＰＢＳ７の光学面７ａに対してもＰ偏光となるように、偏光状態が制御されてもよい。
【００５４】
図３Ｂに示すように、反射フライアイレンズ６から出射された複数の光束Ｌ４は、画像表示素子８の画像表示面８ａ上に重畳するように照射される。すなわち本実施形態では、レンズ１４で集光され、反射面１３の反射領域１５で反射され、再度レンズ面１４ａ近傍上に結像される光源１の像を二次光源とした複数の光束Ｌ４が、画像表示面８ａ上に重畳される。これにより輝度（強度）が均一化された白色光を、画像表示面８ａに照射することが可能となる。
【００５５】
本実施形態では、反射フライアイレンズ６、ＱＷＰ５、コンデンサレンズ３及び４、ＰＢＳ７により、光学部品から出射された複数の光束を画像表示素子の画像表示面に導く照明光学系が実現される。この照明光学系により、反射フライアイレンズ６から出射された複数の光束Ｌ４が、画像表示面８ａ上で重畳される。
【００５６】
従って本実施形態では、コンデンサレンズ３は、コリメート光学系としても機能し、照明光学系としても機能する。また反射フライアイレンズ６は、白色光Ｌ３を複数の光束に分割する機能と、照明光学系の機能との両方を備える。
【００５７】
コリメート光学系及び照明光学系の具体的な構成は限定されず、任意に設計されてよい。例えば凹面反射ミラー２を適宜設計することで、コンデンサレンズ３を省略する、といったことも可能である。もちろんこの場合、照明光学系としての機能を実現するための設計が新たに必要となる可能性はある。
【００５８】
画像表示素子８の画表示面８ａから、ＲＧＢの各色の変調光を含む画像光Ｌ５が出射される。画像光Ｌ５のＰ偏光成分は、ＰＢＳ７の光学面７ａにより反射され、第２の基準軸Ａ２に沿って、第２の面７ｃから出射される。第２の面７ｃから出射された画像光Ｌ５は、投射レンズ９により、スクリーン等の被投射物６０に投射される。これによりフルカラーの画像が表示される。
【００５９】
なおカラーフィルタを搭載しない画像表示素子８と、カラーホイールとが設けられてもよい。この場合、カラーホイールにより、白色光からＲＧＢの各色光が生成され、時分割で画像表示面８ａに照射される。そのタイミングに合わせて、ＲＧＢの各色の画像情報を含む画像信号に基づいて、各色光が変調され、各色の画像光（変調光）が生成される。生成された各色の画像光Ｌ５は、ＰＢＳ７の光学面７ａにより反射され、投射レンズ９により投射される。従って、ＲＧＢの各色の画像光Ｌ５が時分割で投射されることになる。このような構成でも、フルカラーの画像を表示することが可能である。
【００６０】
以上、本実施形態に係る画像表示装置１００では、光学面１２及び反射面１３を有する反射フライアイレンズ６が搭載される。反射フライアイレンズ６の光学面１２により光源１からの白色光Ｌ３が複数の光束Ｌ４に分割されて集光され、反射面１３により反射される。反射面１３により反射された複数の光束Ｌ４は、光学面１２から出射される。これにより画像表示装置１００の小型化を実現することが可能となる。
【００６１】
例えば、照明の効率向上、照明像の均一性の確保から、ライトパイプ（ロッドとも呼ばれる）や、２枚のフライアイレンズを照明系に用いるとする。このような構成を採用する場合、光学系が長くなってしまうので、装置の小型化が難しい。特に、コンベンショナルなフライアイ光学系で照明系を構成する場合、照明効率の向上には有利だが、装置の小型化が課題であった。
【００６２】
上記の特許文献１に記載の照明光学系では、見掛け上、インテグレータ光学系における第１のフライアイレンズを省略可能とのことであるが、第２のフライアイレンズ群が必要であり、まだ光学系の集積化に関して課題が残っている。
【００６３】
本実施形態では、反射フライアイレンズ６を用いることで、コンベンショナルなフライアイ光学系と同程度の高い照明効率を発揮しつつ、光学系の長さを大幅に短縮することが可能である。この結果、画像表示装置１００の小型化を実現することが可能となり、例えばアイウェアへの適用に対して非常に有利である。また反射フライアイレンズ６を用いることで、部品点数を削減することも可能となり、コストを削減することが可能となる。
【００６４】
もちろん、本技術は、アイウェアに限定されず、画像を表示することが可能な種々の装置に適用することが可能である。例えばプロジェクタ、ＴＶ、ノート型ＰＣ、タブレット端末、スマートフォン、デジタイザ、ＰＤＡ（Personal Digital Assistants）、携帯型ＡＶプレイヤー、デジタルスチルカメラ、カムコーダ、ゲーム機、電子書籍端末、ＡＴＭ（Automatic Teller Machine）、駅券売機、カーナビゲーションシステム等が、本技術に係る画像表示装置として構成されてもよい。
【００６５】
＜第２の実施形態＞
本技術に係る第２の実施形態の画像表示装置について説明する。これ以降の説明では、上記の実施形態で説明した画像表示装置１００における構成及び作用と同様な部分については、その説明を省略又は簡略化する。
【００６６】
図４は、本実施形態に係る画像表示装置２００の光学系の構成例を模式的に示す図である。画像表示装置２００は、光源２１と、コリメートレンズ２２と、ＰＢＳ２３と、ＱＷＰ２４及び２５と、第１の反射フライアイレンズ２６と、第２の反射フライアイレンズ２７と、コンデンサレンズ２８及び２９と、ＴＩＲプリズム（内部全反射プリズム）３０と、画像表示素子３１と、投射レンズ３２とを有する。
【００６７】
本実施形態に係る画像表示装置２００と、第１の実施形態に係る画像表示装置１００との主な相違点は以下の通りである。
（１）光源２１から出射された白色光Ｌ１をコリメート光に変換して、第１及び第２の反射フライアイレンズ２６及び２７の光学面２６ａ及び２７ｂに導くコリメート光学系が、コリメートレンズ２２及びＰＢＳ２３により実現されている。
（２）２つの反射フライアイレンズ（第１及び第２の反射フライアイレンズ２６及び２７）が用いられている。
（３）照明光学系として、ＴＩＲプリズム３０が用いられている。
【００６８】
光源２１から出射される白色光Ｌ１は、コリメートレンズ２２により平行化された後、ＰＢＳ２３の光学面２３ａにより分割される。本実施形態では、白色光Ｌ１のＳ偏光成分Ｌ２が光学面２３ａにより反射され、第１の反射フライアイレンズ２６に導かれる。白色光Ｌ１のＰ偏光成分Ｌ３は光学面２３ａを透過し、第２の反射フライアイレンズ２７に導かれる。
【００６９】
第１の反射フライアイレンズ２６の光学面２６ａからは複数の光束Ｌ４が出射される。複数の光束Ｌ４は、ＱＷＰ２４を２回透過するのでＰ偏光となり、ＰＢＳ２３の光学面２３ａを透過する。
【００７０】
第２の反射フライアイレンズ２７の光学面２７ａからは複数の光束Ｌ５が出射される。複数の光束Ｌ５は、ＱＷＰ２５を２回透過するのでＳ偏光となり、ＰＢＳ２３の光学面２３ａにより反射される。これにより、第１の反射フライアイレンズ２６から出射される複数の光束Ｌ４と、第２の反射フライアイレンズ２７から出射される複数の光束Ｌ５とが、同軸上に合成される。
【００７１】
同軸上に合成された複数の光束Ｌ４及びＬ５は、コンデンサレンズ２８及び２９と、ＴＩＲプリズム３０を介して、画像表示素子３１の画像表示面３１ａ上に重畳される。画像表示素子３１により画像光Ｌ６が生成され、画像表示面３１ａから出射される。画像表示面３１ａから出射された画像光Ｌ６は、ＴＩＲプリズム３０及び投射レンズ３２を介して、スクリーン等に投射される。なおカラーフィルタを備える構成、及びカラーホイールが用いられる構成のいずれもが採用可能である。
【００７２】
このように本実施形態では、コリメート光学系としてＰＢＳ２３が配置され、ＰＢＳ２３により分割された２つの白色光Ｌ２及びＬ３が、２つの反射フライアイレンズ（第１及び第２の反射フライアイレンズ２６及び２７）に導かれる。そして第１及び第２の反射フライアイレンズ２６及び２７により、複数の光束Ｌ４及びＬ５が出射される。これにより光の損失（光量の低下）を抑えることが可能となり、輝度を向上させることが可能となる。
【００７３】
また照明光学系として、ＴＩＲプリズム３０を用いることで、光路長を短くすることが可能となり、装置の小型化を図ることが可能である。
【００７４】
本実施形態において、第１及び第２の反射フライアイレンズ２６及び２７は、１以上の光学部品に含まれる、第１及び第２の光学部品に相当する。またＰＢＳ２３は、光源部から出射された光を分割して第１及び第２の光学部品の各々に出射し、第１及び第２の光学部品の各々から出射された複数の光束を合成するビームスプリッタとして機能する。なお、ＰＢＳとは異なる光学部品により、本技術に係るビームスプリッタが実現されてもよい。
【００７５】
図５は、図４に示す画像表示装置２００の変形例を示す模式図である。画像表示装置２００'では、第１の反射フライアイレンズ２６'とＱＷＰ２４'との間に、コンデンサレンズ３３が配置される。また第２の反射フライアイレンズ２７'とＱＷＰ２５'との間に、コンデンサレンズ３４が配置される。
【００７６】
これにより例えば、ＰＢＳ２３'と、ＴＩＲプリズム３０'との間に配置されるコンデンサレンズの数を削減することが可能となり、ＰＢＳ２３'とＴＩＲプリズム３０'との間の距離を短くすることが可能となる。これにより画像表示装置２００'の小型化を実現することが可能となる。
【００７７】
＜第３の実施形態＞
図６は、本技術の第３の実施形態に係る画像表示装置３００の光学系の構成例を模式的に示す図である。この画像表示装置３００では、第１の実施形態に係る画像表示装置１００と比べて、光源部４１、及び反射フライアイレンズ４３の構成が異なる。その他の構成については、画像表示装置１００と等しいので、図１と同じ符号を適宜用いて説明を行う。
【００７８】
また画像表示装置３００では、フィールドシーケンシャル方式にて、カラー画像が投射される。すなわちＲＧＢの各光が時分割で、画像表示素子８の画像表示面８ａに照射される。そのタイミングに合わせて、ＲＧＢの各色の画像情報を含む画像信号に基づいて、各色光が変調され、各色の画像光（変調光）が生成される。生成された各色の画像光は、投射レンズ９により時分割で投射される。
【００７９】
図６に示すように、光源部４１は、赤色ＬＥＤ４２Ｒ、緑色ＬＥＤ４２Ｇ、及び青色ＬＥＤ４２Ｂを含むＬＥＤアレイ光源として構成される。赤色ＬＥＤ４２Ｒ、緑色ＬＥＤ４２Ｇ、及び青色ＬＥＤ４２Ｂは、凹面反射ミラー２に対して、互いに異なる位置に配置される。本実施形態において、赤色ＬＥＤ４２Ｒ、緑色ＬＥＤ４２Ｇ、及び青色ＬＥＤ４２Ｂは、互いに異なる位置に配置された複数の光源に相当する。
【００８０】
反射フライアイレンズ４３は、レンズ本体４４と、ダイクロイックウェッジプレート４６とを有する。レンズ本体４４は、図１に示す反射フライアイレンズ６と略等しい構成を有し、複数のレンズ面からなる光学面４５を有する。
【００８１】
ダイクロイックウェッジプレート４６は、レンズ本体４４の、光学面４５と対向する後方面４７に接続される。この後方面４７は、図１に示す反射フライアイレンズ６の反射面１３に相当する面であるが、本実施形態では、反射面としては用いられない。なおこの後方面４７に、反射防止膜等が形成されてもよい。
【００８２】
ダイクロイックウェッジプレート４６は、所定の波長域の色光を選択的に反射しそれ以外の波長域の光を透過させる性質を有する、複数の反射面を有する。本実施形態では、赤色光を選択的に反射する反射面４８Ｒと、緑色光を選択的に反射する反射面４８Ｇと、青色光を選択的に反射する反射面４８Ｂとが設けられる。
【００８３】
反射面４８Ｒ、４８Ｇ、及び４８Ｂは、反射角度が互いに異なる角度となるように配置される。本実施形態では、第１の基準軸Ａ１と略垂直な角度で、緑色光を反射する反射面４８Ｇは配置される。一方、赤色光を反射する反射面４８Ｒ及び青色光を反射する反射面４８Ｂは、第１の基準軸Ａ１に対して、斜めとなる角度で配置される。
【００８４】
図７は、ＲＧＢの各色の光の出射方向について説明するための図である。図７では、赤色ＬＥＤ４２Ｒ、緑色ＬＥＤ４２Ｇ、及び青色ＬＥＤ４２Ｂの各々から出射される、赤色光Ｒ、緑色光Ｇ、及び青色光Ｂについて、主光線のみが図示されている。主光線は、光束の中心を進む光である。
【００８５】
また図７では、コリメート光学系として機能するコンデンサレンズ３の図示が省略され、凹面反射ミラー２の光学面２ａにより、コリメート光への変換が行われるものとして説明する。すなわち図７では、凹面反射ミラー２の光学面２ａにより反射された光は、コリメートされた各色光の主光線となる。
【００８６】
図６及び図７に示すように、本実施形態では、緑色ＬＥＤ４２Ｇから出射された緑色光Ｇが、コリメート光学系によりコリメートされ、第１の基準軸Ａ１に沿って反射フライアイレンズ４３に略垂直に出射されるとする。
【００８７】
この場合、異なる位置に配置された赤色ＬＥＤ４２Ｒから出射される赤色光Ｒが、コリメート光学系によりコリメートされる。図７に示すように、コリメートされた赤色光Ｒは、緑色光Ｇの出射方向とは異なる方向に沿って、反射フライアイレンズ４３に対して斜めに出射される。また異なる位置に配置された青色ＬＥＤ４２Ｂから出射される青色光Ｂについても、コリメートされた青色光Ｂは、反射フライアイレンズ４３に対して斜めに出射される。
【００８８】
ダイクロイックウェッジプレート４６の反射面４８Ｒ、４８Ｇ、及び４８Ｂは、コリメートされた赤色光Ｒ、緑色光Ｇ、及び青色光Ｂの出射方向に対応した角度でそれぞれ配置される。具体的には、光学面４５により分割された赤色光Ｒの複数の光束と、光学面４５により分割された緑色光Ｇの複数の光束と、光学面４５により分割された青色光Ｂの複数の光束とが、略等しい方向に沿って集光されながら反射されるように、反射面４８Ｒ、４８Ｇ、及び４８Ｂの角度が設計されている。
【００８９】
本実施形態では、光学面４５から出射される各色の複数の光束が、第１の基準軸Ａ１を基準として、略等しい方向に進むように、各反射面の角度が設計されている。このことは、反射フライアイレンズ４３の光学面４５から出射される各色光の光軸を合わせることにも相当する。
【００９０】
これにより各色の複数の光束を、画像表示素子８の画像表示面８ａの略等しい領域に重畳させることが可能となる。この結果、フィールドシーケンシャル方式にてカラー画像を生成する場合において、高い照明効率を発揮することが可能となる。例えばＲＧＢの各色光において、３色が重ならない領域（合成した場合白色とならない領域）の光は使えないことになるが、本実施形態ではそのような領域が発生することを十分に抑制することが可能となる。またＲＧＢの各色の光軸がずれることにより色むらが発生してしまうことを、十分に防止することが可能である。
【００９１】
コリメートされた赤色光Ｒ、緑色光Ｇ、及び青色光Ｂの出射方向は、赤色ＬＥＤ４２Ｒ、緑色ＬＥＤ４２Ｇ、及び青色ＬＥＤ４２Ｂが配置される位置に対応する。従って、反射面４８Ｒ、４８Ｇ、及び４８Ｂの角度は、赤色ＬＥＤ４２Ｒ、緑色ＬＥＤ４２Ｇ、及び青色ＬＥＤ４２Ｂの位置に対応した角度ともいえる。具体的にどのような角度に設定するかは限定されず、各光源の位置や、合わせたい光軸の方向等に応じて、適宜設計されればよい。
【００９２】
本実施形態において、ダイクロイックウェッジプレート４６の反射面４８Ｒ、４８Ｇ、及び４８Ｂは、複数の光源の位置に対応して互いに異なる角度となるように配置され、各々が複数の光源のうち対応する光源から出射され光学面により収束された（すなわち集光される途中の）複数の光束を反射する複数の反射面として機能する。
【００９３】
＜第４の実施形態＞
図８及び図９は、本技術の第４の実施形態に係る反射フライアイレンズの構成例を模式的に示す図である。例えば図６に示す画像表示装置３００において、ダイクロイックウェッジプレート４６を含む反射フライアイレンズ４３に代えて、本実施形態に係る反射フライアイレンズ５０を用いることが可能である。
【００９４】
反射フライアイレンズ５０は、複数のレンズ５１の各々のレンズ面５１ａにより構成される光学面５２を有する。また反射フライアイレンズ５０は、光学面５２と対向するように配置される反射面５３を有する。反射面５３は、複数のレンズ５１に対応して複数の反射領域５４を有する。
【００９５】
図９に示すように、本実施形態では、各反射領域５４の形状が、平面形状とは異なるように、適宜設計されている。具体的には、各反射領域５４において、反射領域５４の中央に平面形状からなる平面部５５が形成される。また反射領域５４の中央から周縁に向かって斜めに延在するテーパ面部５６が形成される。
【００９６】
図８及び図９には、赤色光Ｒ、緑色光Ｇ、及び青色光Ｂの各々の主光線が図示されている。反射フライアイレンズ５０に対して略垂直に入射する緑色光Ｇは、反射領域５４の平面部５５上に向かって収束する。そして平面部５５により反射されて、光学面５２から第１の基準軸Ａ１に沿って出射される。
【００９７】
反射フライアイレンズ５０に対して、斜めに入射する赤色光Ｒ、及び青色光Ｂは、テーパ面部５６上に向かって収束し、反射の後集光される。これにより緑色光Ｇと略同一方向に沿って（第１の基準軸Ａ１に沿って）、赤色光Ｒ及び青色光Ｂが、光学面５２から出射される。
【００９８】
このように本実施形態では、各色光がそれぞれ収束するポイント、及び集光する光の進行方向（典型的には、主光線の進行方向）に合わせて、反射フライアイレンズ５０の光学面５２から出射される各色光の光軸が略同軸となるように、反射領域５４の形状が適宜設計される。
【００９９】
これにより、ダイクロイックウェッジプレート４６等を用いることなく、各色光の光軸を合わせることが可能となる。この結果、高い照明効率を発揮することが可能となり、また色むらの発生を十分に抑制することが可能となる。
【０１００】
各反射領域５４の具体的な形状が、図９等に示すものに限定されるわけではない。各色光の光軸が略同一となるように、コリメート光学系によりコリメートされた赤色光Ｒ、緑色光Ｇ、及び青色光Ｂの出射方向に対応して適宜設計されればよい。このことは、赤色ＬＥＤ４２Ｒ、緑色ＬＥＤ４２Ｇ、及び青色ＬＥＤ４２Ｂの位置に対応する形状となるように、各反射領域の形状が設計することに相当する。
【０１０１】
図１０は、反射領域の形状に関するシミュレーションを説明するための模式図である。図１０Ａに示すように、レンズ面６１の中央部分に緑色光Ｇ１を略垂直に入射させる。レンズ面６１の中央から若干オフセットした位置に、赤色光Ｒ１及び青色光Ｂ１を、斜めに入射させる。そして、緑色光Ｇ１が集光する位置はレンズ面６１近傍として、赤色光Ｒ１と青色光Ｂ１とがそれぞれ集光する位置もレンズ面６１近傍とした。
【０１０２】
平面部６２により反射された緑色光Ｇ２は、入射した緑色光Ｇ１と略同一方向に沿って、レンズ面６１から出射された。テーパ面部６３にて反射された赤色光Ｒ２及びＢ２も、緑色光Ｇ２と略同一方向に沿って、レンズ面６１から出射された。図１０Ｂに示すように、光束の広がりは認められるが、全体的には各色の光が同一方向に沿って出射され、３色が合成された白色光として、略同一領域に照射されることが確認できた。例えばこのよなシミュレーションを利用することで、反射領域の形状を高精度に設計することが可能である。
【０１０３】
図１１は、反射フライアイレンズの構成の他の例を示す模式図である。図９に示す例では、反射領域５４の中央に凹部が形成されるように、平面部５５及びテーパ面部５６が形成された。これに対して、図１１Ａに示すように、反射領域６４が全体的に凸形成となるように、平面部６５及びテーパ面部６６が形成されてもよい。またテーパ面部６６の傾きが逆となるように構成されてもよい。すなわ反射領域の中央から周縁に向けて、高さが高くなるようにテーパ面部５６が形成されてもよい。
【０１０４】
図１１Ｂに示すように、各色光の光軸合わせのために、レンズ面６７の形状が設計されてもよい。図１１Ｂでは、ＲＧＢの各色光が入射する領域６７ａ、６７ｂ、６７ｃごとに、各色に合わせて形状が設計される。その他、レンズ面の曲率半径等を設計する、各色に合わせて非球面にする、自由曲面とする、等、任意の設計が採用されてよい。
【０１０５】
＜その他の実施形態＞
本技術は、以上説明した実施形態に限定されず、他の種々の実施形態を実現することができる。
【０１０６】
図１２は、図８に示す画像表示装置の変形例を示す模式図である。図１２に示す画像表示装置では、光源部として、ＬＥＤアレイ光源が用いられる。
【０１０７】
図１２Ａ及びＢに示すように、ＬＥＤアレイ光源は、赤色ＬＥＤ４２Ｒ、緑色ＬＥＤ４２Ｇ、及び青色ＬＥＤ４２Ｂの順番で並ぶ列と、青色ＬＥＤ４２Ｂ'、緑色ＬＥＤ４２Ｇ'、及び赤色ＬＥＤ４２Ｒ'の順番で並ぶ列とを含む。なお図１２Ａ及びＢでは、図面上に２つの列が左右に並んで図示されているが、実際には、紙面の垂直方向（奥行き方向）に沿って、２つの列が並んでいる。
【０１０８】
図１２Ａは、赤色ＬＥＤ４２Ｒ、緑色ＬＥＤ４２Ｇ、及び青色ＬＥＤ４２Ｂの順番で並ぶ列から出射されるＲＧＢ光の主光線を示す図である。図１２Ｂは、青色ＬＥＤ４２Ｂ'、緑色ＬＥＤ４２Ｇ'、及び赤色ＬＥＤ４２Ｒ'の順番で並ぶ列から出射されるＲＧＢ光の主光線を示す図である。
【０１０９】
２つの列にて、赤色ＬＥＤと青色ＬＥＤの位置が逆となるように、各ＬＥＤが配置されているので、反射フライアイレンズ５０の光学面５２から出射される赤色光Ｒと青色光Ｂの位置（光束の位置）も、逆となる。これにより画像表示素子の画像表示面に重畳されるＲＧＢの各光の偏りを十分に抑制することが可能となり、高品質な画像を表示することが可能となる。このように、反射フライアイレンズの設計に合わせて、光源部の構成を適宜設計することで、品質の向上を図ることが可能となる。なお色ごとに光束の幅等を制御するといったことも可能である。
【０１１０】
上記では、光源部から出射される光を反射し、反射フライアイレンズから出射される複数の光束を透過させる素子として、偏光素子が用いられた。これに限定されず、ハーフミラー等の他の光学素子が用いられてもよい。
【０１１１】
上記では、互いに異なる位置に配置された複数の光源として、ＲＧＢのＬＥＤ光源を例に挙げた。これに限定されず、任意の色の任意の光源が、複数の光源として用いられてよい。
【０１１２】
上記では、２つの反射フライアイレンズが用いられる例を説明したが、３つ以上の反射フライアイレンズが用いられてもよい。またＲＧＢの色ごとに本技術に係る反射フライアイレンズが準備され、各反射フライアイレンズから出射されるＲＧＢの各複数の光束が、同軸に合わせられてもよい。
【０１１３】
各図面を参照して説明した画像表示装置、光源部、反射フライアイレンズ、コリメート光学系、照明光学系、ビームスプリッタ等の各構成は、あくまで一実施形態であり、本技術の趣旨を逸脱しない範囲で、任意に変形可能である。すなわち本技術を実施するための他の任意の構成が採用されてよい。
【０１１４】
本開示において、「中心」「中央」「均一」「等しい」「垂直」「コリメート」「平行」「平面形状」「同一平面」「同一方向」等は、「実質的に中心」「実質的に中央」「実質的に均一」「実質的に等しい」「実質的に垂直」「実質的にコリメート」「実質的に平行」「実質的に平面形状」「実質的に同一平面」「実質的に同一方向」を含む概念とする。例えば「完全に中心」「完全に中央」「完全に均一」「完全に等しい」「完全に垂直」「完全にコリメート」「完全に平行」「完全に平面形状」「完全に同一平面」「完全に同一方向」等を基準とした所定の範囲（例えば±１０％の範囲）に含まれる状態も含まれる。
【０１１５】
以上説明した本技術に係る特徴部分のうち、少なくとも２つの特徴部分を組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１１６】
なお、本技術は以下のような構成も採ることができる。
（１）光源部と、
前記光源部から出射された光を複数の光束に分割して集光する光学面と、前記光学面により収束された前記複数の光束を反射する反射面とを有し、前記反射面により反射された前記複数の光束を前記光学面から出射する１以上の光学部品と、
を具備する画像表示装置。
（２）（１）に記載の画像表示装置であって、
前記光学面は、２次元状に配置された複数のレンズの各々のレンズ面により構成され、
前記反射面は、前記複数のレンズの各々により収束された光束を、前記複数のレンズの各々のレンズ面に向かって反射する
画像表示装置。
（３）（２）に記載の画像表示装置であって、
前記反射面は、前記複数のレンズの各々の焦点面を前記複数のレンズの各々の面近傍に位置させるように配置される
画像表示装置。
（４）（１）から（３）のうちいずれか１つに記載の画像表示装置であって、
前記光学面及び前記反射面は、互いに対向するように配置される
画像表示装置。
（５）（１）から（４）のうちいずれか１つに記載の画像表示装置であって、
前記光学面及び前記反射面は、一体的に形成される
画像表示装置。
（６）（１）から（５）のうちいずれか１つに記載の画像表示装置であって、さらに、
前記出射部から出射された光をコリメート光に変換して前記光学面に導くコリメート光学系を具備する
画像表示装置。
（７）（１）から（６）のうちいずれか１つに記載の画像表示装置であって、さらに、
画像表示素子と、
前記光学部品から出射された前記複数の光束を前記画像表示素子の画像表示面に導く照明光学系と
を具備する画像表示装置。
（８）（７）に記載の画像表示装置であって、
前記照明光学系は、前記光学部品から出射された前記複数の光束を前記画像表示面上で重畳させる
画像表示装置。
（９）（１）から（８）のうちいずれか１つに記載の画像表示装置であって、
前記反射面は、前記複数の光束の各々を反射する複数の反射領域を有する
画像表示装置。
（１０）（９）に記載の画像表示装置であって、
前記複数の反射領域は、互いに等しい形状を有する
画像表示装置。
（１１）（９）又は（１０）に記載の画像表示装置であって、
前記複数の反射領域の各々は、平面形状を有する
画像表示装置。
（１２）（９）又は（１０）に記載の画像表示装置であって、
前記光源部は、互いに異なる位置に配置された複数の光源を有し、
前記複数の反射領域の各々は、前記複数の光源の位置関係に対応した形状を有する
画像表示装置。
（１３）（１２）に記載の画像表示装置であって、
前記複数の反射領域の各々は、前記反射領域の中央に形成された平面形状からなる平面部と、前記反射領域の中央から周縁に向かって斜めに延在するテーパ面部とを有する
画像表示装置。
（１４）（１）から（８）のうちいずれか１つに記載の画像表示装置であって、
前記光源部は、互いに異なる位置に配置された複数の光源を有し、
前記光学部品は、前記複数の光源の位置に対応して互いに異なる角度となるように配置され、各々が前記複数の光源のうち対応する光源から出射され前記光学面により収束された前記複数の光束を反射する複数の反射面を有する
画像表示装置。
（１５）（１）から（１４）のうちいずれか１つに記載の画像表示装置であって、
前記１以上の光学部品は、第１及び第２の光学部品を含み、
前記画像表示装置は、さらに、前記光源部から出射された光を分割して前記第１及び前記第２の光学部品の各々に出射し、前記第１及び前記第２の光学部品の各々から出射された前記複数の光束を合成するビームスプリッタを具備する
画像表示装置。
【符号の説明】
【０１１７】
１…光源
２…凹面反射ミラー
２ａ…凹面反射ミラーの光学面
３、４、２８、２９、３３、３４…コンデンサレンズ
５、２４、２５…１／４波長板（ＱＷＰ）
６、４３、５０…反射フライアイレンズ
７…偏光ビームスプリッタ（ＰＢＳ）
７ａ…ＰＢＳ７の光学面
７ｂ…ＰＢＳ７の第１の基準軸Ａ１に直交する第１の面
７ｃ…ＰＢＳ７の第２の基準軸Ａ２に直交する第２の面
８、３１…画像表示素子
８ａ、３１ａ…画表示面
９、３２…投射レンズ
１２、４５、５２…反射フライアイレンズの光学面
１３、５３…反射フライアイレンズの反射面
１４ａ、５１ａ、６１、６７…レンズ面
１４、５１…レンズ
１５、５４、６４…反射領域
２１、４１…光源
２２…コリメートレンズ
２３…ＰＢＳ
２３ａ…光学面
２６…第１の反射フライアイレンズ
２６ａ…第１の反射フライアイレンズの光学面
２７…第２の反射フライアイレンズ
２７ａ…第２の反射フライアイレンズの光学面
３０…ＴＩＲプリズム
４２Ｒ、４２Ｒ'…赤色ＬＥＤ
４２Ｂ、４２Ｂ'…青色ＬＥＤ
４２Ｇ、４２Ｇ'…緑色ＬＥＤ
４４…反射フライアイレンズ４４のレンズ本体
４６…ダイクロイックウェッジプレート
４８Ｒ、４８Ｇ、４８Ｂ…反射面
５５、６２、６５…平面部
５６、６３、６６…テーパ面部
６０…被投射物（スクリーン等）
６７ａ、６７ｂ、６７ｃ…ＲＧＢの各色光が入射する領域
１００、２００、３００…画像表示装置
【図１】
2019181404.tif 000003
【図２】
2019181404.tif 000004
【図３】
2019181404.tif 000005
【図４】
2019181404.tif 000006
【図５】
2019181404.tif 000007
【図６】
2019181404.tif 000008
【図７】
2019181404.tif 000009
【図８】
2019181404.tif 000010
【図９】
2019181404.tif 000011
【図１０】
2019181404.tif 000012
【図１１】
2019181404.tif 000013
【図１２】
2019181404.tif 000014
【国際調査報告】
2019181404.tif 000015
2019181404.tif 000016
2019181404.tif 000017
2019181404.tif 000018